(57)【要約】【課題】調光信号の出力状態を確認する作業を容易に行える遠隔監視制御システムの調光端末器を提供する。【解決手段】調光端末器５は、伝送線を介して伝送される制御データを受信する受信回路２２と、受信した制御データに応じたデューティ比のデューティ信号を生成する信号処理部２０と、信号処理部２０から入力されるデューティ信号をもとに、端子Ｓ１，Ｓ２に接続される調光信号線を介して照明負荷へ調光信号を出力する調光信号出力回路１１とを備え、調光信号出力回路１１から調光信号線に対して調光信号が出力されると点灯する表示灯ＬＤ４を端末器本体の表面に配置してある。【選択図】　　　図１
2004119152.tif 000002
【特許請求の範囲】
【請求項１】
固有アドレスが設定されスイッチの状態を監視しスイッチの状態に応じた監視データを伝送制御装置に対して送出する監視端末器と、固有アドレスが設定され各スイッチに対応する照明負荷を調光制御する調光端末器と、各端末器が一対の伝送線を介して接続されるとともに、アドレスデータを含む伝送信号を伝送線に送出することによって各端末器をアクセスして監視データ及び照明負荷の調光制御内容を示す制御データを時分割多重伝送する伝送制御装置とを備えた遠隔監視制御システムの調光端末器であって、伝送線を介して伝送される制御データを受信する受信手段と、受信した制御データに応じた調光レベルの調光信号を生成する調光信号生成手段と、調光信号線を介して接続された照明負荷に生成した調光信号を出力する調光信号出力手段と、上記各手段を収納する端末器本体とを備え、調光信号出力手段から照明負荷へ調光信号が出力されるオン状態と調光信号が出力されていないオフ状態とで点灯状態の変化する点灯表示手段を端末器本体の外部から視認可能な位置に配置したことを特徴とする遠隔監視制御システムの調光端末器。
【請求項２】
上記調光信号線の短絡状態を検出する短絡検出手段と、短絡検出手段が短絡状態を検出すると短絡状態を点灯表示する短絡表示手段とを備え、調光信号の出力のオン状態及びオフ状態を表示する場合と短絡状態を表示する場合とで発光パターンを異ならせることで、上記点灯表示手段と上記短絡表示手段とを１つの表示手段で兼用したことを特徴とする請求項１記載の遠隔監視制御システムの調光端末器
【請求項３】
上記端末器本体を、規格化された分電盤協約寸法に対応する寸法に形成したことを特徴とする請求項１又は２記載の遠隔監視制御システムの調光端末器。
【発明の詳細な説明】
【０００１】
【発明の属する技術分野】
本発明は、複数の照明負荷を遠隔から調光制御する遠隔監視制御システムの調光端末器に関するものである。
【０００２】
【従来の技術】
従来より、例えば特許文献１に示すように、固有アドレスが設定されスイッチの状態を監視してスイッチの状態に応じた監視データを伝送制御装置に対して送出する監視端末器と、固有アドレスが設定されスイッチに対応する照明負荷を調光制御する調光端末器と、各端末器が一対の伝送線を介して接続されるとともに、アドレスデータを含む伝送信号を伝送線に送出することによって各端末器をアクセスして監視データ及び照明負荷の調光制御内容を示す制御データを時分割多重伝送する伝送制御装置とを備えた遠隔監視制御システムが提供されていた。
【０００３】
この遠隔監視制御システムでは、照明負荷と商用電源との直列回路が両端間に接続されるトライアックのような電力制御素子を調光端末器に設け、外部から入力される制御データに応じて電力制御素子をオン／オフさせて、照明負荷への供給電力を制御し、照明負荷を調光点灯していた。
【０００４】
また、調光端末器と照明負荷との間を調光信号線を介して接続し、調光端末器が受信した制御データに応じたデューティ比のデューティ信号或いは電圧信号からなる調光信号を調光信号線に出力し、照明負荷が調光信号線を介して入力された調光信号のデューティ比或いは電圧レベルに基づいて調光レベルを可変するようにした遠隔監視制御システムも提案されている。
【０００５】
このようなシステムに用いられる調光端末器の内部回路図を図１２に示す。この調光端末器は、２つの端子Ｎ１，Ｎ２に接続される伝送線を介して入力された伝送信号を受信する受信回路２２を有し、受信した伝送信号は受信回路２２を通して信号処理部２０に入力される。信号処理部２０では、伝送信号に含まれる制御データをもとに、制御データに応じたデューティ比の２値信号を出力し、この信号がトランジスタＱ１及びフォトカプラＰＣを介して調光信号出力回路１１に出力される。
【０００６】
調光信号出力回路１１は、フォトカプラＰＣの出力側のトランジスタと、トランジスタＱ２とがともに導通したときにオンになるトランジスタＱ３を備え、このトランジスタＱ３と２つの抵抗Ｒ２，Ｒ３との直列回路が電源回路１２の出力端子間に接続されている。したがって、トランジスタＱ３がオン／オフすると、抵抗Ｒ３の両端電圧が変化し、所定のデューティ比のデューティ信号が調光信号として照明負荷に与えられるのである。尚、トランジスタＱ２および抵抗Ｒ２は、抵抗Ｒ３の両端間の短絡を検出する短絡検出回路１４（短絡検出手段）に用いられ、抵抗Ｒ３の両端間が短絡するとトランジスタＱ２がオフするようになっている。
【０００７】
このような従来の遠隔監視制御システムでは、監視端末器として、調光レベルをアップ又はダウンさせる明るさ調整用スイッチ及び負荷をオン／オフする負荷オン／オフ用スイッチの操作状態を監視する調光スイッチや、調光信号の出力をオン／オフさせる調光信号オン／オフ用スイッチの操作状態を監視する個別スイッチを設けているのであるが、個別スイッチの調光信号オン／オフ用スイッチを操作して調光信号の出力をオンにした場合（調光制御オン状態）は、調光端末器から調光信号線を介して調光信号が出力される。すなわち、調光制御オン状態では調光スイッチによる調光制御が有効になり、調光スイッチに設けられた負荷オン／オフ用スイッチを操作すると、このスイッチ操作に応じて調光端末器が調光信号を出力する状態と、調光信号の出力を停止する状態とに切り替えられ、照明負荷が半灯状態（所定の調光レベルで点灯する調光点灯状態）又は消灯状態に切り替えられる。
【０００８】
一方、個別スイッチの調光信号オン／オフ用スイッチを用いて調光信号の出力をオフにした場合（調光信号オフ状態）は、調光端末器からの調光信号の出力が停止され（端子Ｓ１，Ｓ２間の電圧が０Ｖで一定となる）、調光スイッチによる調光制御が無効になる。この場合に調光スイッチの負荷オン／オフ用スイッチを操作すると、このスイッチ操作に応じて照明負荷は全点灯状態又は消灯状態に切り替えられるのである。
【０００９】
【特許文献１】
特開平５−１５３６７２号公報（段落番号［００１４］〜［００２０］）
【００１０】
【発明が解決しようとする課題】
上述した従来の調光端末器では、施工時やメンテナンス時などに調光端末器から調光信号が出力されているか否かを確認するために、調光信号線の線間電圧を計測器で確認するか、若しくは照明負荷を実際に接続して、調光端末器の設置場所から遠く離れた場所にある照明負荷の点灯状態を確認していたため、調光信号の出力状態を確認する手間がかかるという問題があった。
【００１１】
本発明は上記問題点に鑑みて為されたものであり、その目的とするところは、調光信号の出力状態を確認する作業を容易に行える遠隔監視制御システムの調光端末器を提供することにある。
【００１２】
【課題を解決するための手段】
上記目的を達成するために、請求項１の発明では、固有アドレスが設定されスイッチの状態を監視しスイッチの状態に応じた監視データを伝送制御装置に対して送出する監視端末器と、固有アドレスが設定され各スイッチに対応する照明負荷を調光制御する調光端末器と、各端末器が一対の伝送線を介して接続されるとともに、アドレスデータを含む伝送信号を伝送線に送出することによって各端末器をアクセスして監視データ及び照明負荷の調光制御内容を示す制御データを時分割多重伝送する伝送制御装置とを備えた遠隔監視制御システムの調光端末器であって、伝送線を介して伝送される制御データを受信する受信手段と、受信した制御データに応じた調光レベルの調光信号を生成する調光信号生成手段と、調光信号線を介して接続された照明負荷に生成した調光信号を出力する調光信号出力手段と、上記各手段を収納する端末器本体とを備え、調光信号出力手段から照明負荷へ調光信号が出力されるオン状態と調光信号が出力されていないオフ状態とで点灯状態の変化する点灯表示手段を端末器本体の外部から視認可能な位置に配置したことを特徴とする。
【００１３】
請求項２の発明では、請求項１の発明において、上記調光信号線の短絡状態を検出する短絡検出手段と、短絡検出手段が短絡状態を検出すると短絡状態を点灯表示する短絡表示手段とを備え、調光信号の出力のオン状態及びオフ状態を表示する場合と短絡状態を表示する場合とで発光パターンを異ならせることで、上記点灯表示手段と上記短絡表示手段とを１つの表示手段で兼用したことを特徴とする。
【００１４】
請求項３の発明では、請求項１又は２の発明において、上記端末器本体を、規格化された分電盤協約寸法に対応する寸法に形成したことを特徴とする。
【００１５】
【発明の実施の形態】
以下、本発明を実施形態により詳細に説明する。
【００１６】
（実施形態１）
本発明の実施形態１を図面を参照して説明する。
【００１７】
先ず、本発明の調光端末器を用いる遠隔監視制御システムについて簡単に説明する。図１０は遠隔監視制御システムの一構成例を示しており、本システムでは、伝送制御装置１に一対の伝送線Ｌｓが接続されており、この伝送線Ｌｓには、個別スイッチ２および調光スイッチ３が監視端末器として接続されている一方、リレー端末器４および調光端末器５が制御端末器として接続されている。ここに、個別スイッチ２、調光スイッチ３、リレー端末器４および調光端末器５などの各端末器は、伝送線Ｌｓに対してマルチドロップ接続される。
【００１８】
個別スイッチ２、調光スイッチ３、リレー端末器４および調光端末器５には、それぞれ個別のアドレス（固有アドレス）が設定され、伝送制御装置１は、それらのアドレスを用いて、個別スイッチ２、調光スイッチ３、リレー端末器４および調光端末器５を個別に認識する。
【００１９】
個別スイッチ２は、調光端末器５からの調光信号の出力をオン／オフするための調光信号オン／オフ用スイッチＳａを最大４個備え、調光スイッチ３は、調光レベルをアップさせるアップスイッチＳｕ、調光レベルをダウンさせるダウンスイッチＳｄ、及び対応する照明負荷をオン／オフするための負荷オン／オフ用スイッチＳｂを備える。
【００２０】
リレー端末器４には照明負荷（照明器具）への電力供給をオン／オフするリレー（リモコンリレー）Ｒｙが接続される。リレーＲｙには一般にラッチング型のものが用いられ、リレー端末器４は、リレーＲｙを動作させる際、トランス（リレートランス）Ｔ１からリレーＲｙにパルス的に電源を供給する。
【００２１】
また、調光端末器５は蛍光灯用であって、照明負荷である蛍光灯を調光器として機能するインバータにより高周波点灯させる照明器具Ｌに対して調光信号線Ｌｔを介して調光レベルを指示するデューティ信号よりなる調光信号を与えるように構成される。また、調光端末器５にはトランスＴ２から調光信号を出力するための電源が供給されている。尚、調光端末器５から照明器具Ｌに対して調光レベルに応じた電圧信号よりなる調光信号を出力するようにしても良い。
【００２２】
次に本システムの動作を簡単に説明する。ただし、簡単のため、個別スイッチ２および調光スイッチ３をまとめて監視端末器と呼び、リレー端末器４および調光端末器５をまとめて制御端末器と呼ぶことにする。
【００２３】
伝送制御装置１は、伝送線Ｌｓに対して、図１１（ａ）に示すフォーマットの伝送信号Ｖｓを送出する。伝送信号Ｖｓは、信号送出開始を示す同期信号ＳＴ、伝送信号Ｖｓのモードを示すモードデータＭＤ、アクセスする端末器（監視端末器及び制御端末器）のアドレス（８ビット）を示すアドレスデータＡＤ、制御内容を示す制御データＣＤ、伝送誤りを検出するためのチェックサムデータＣＳ、端末器から返送信号（監視データ）を返送させるために設けられたタイムスロットである信号返送期間ＷＴよりなる双極性（±２４Ｖ）の時分割多重信号であり、パルス幅変調によってデータが伝送されるようになっている（図１１（ｂ）参照）。
【００２４】
各端末器では、基本的には、伝送線Ｌｓを介して受信した伝送信号ＶｓのアドレスデータＡＤと予め設定されている自己のアドレスデータとが一致したとき、その伝送信号Ｖｓの制御データＣＤを取り込むとともに、伝送信号Ｖｓの信号返送期間ＷＴに同期して監視データを電流モード信号（伝送線間を適当な低インピーダンスを介して短絡することにより送出される信号）で伝送制御装置１に返送する。
【００２５】
ここで、伝送制御装置１から所望の端末器にデータを伝送する場合には、モードデータＭＤを制御モードとし、アドレスデータＡＤを所望の端末器のアドレスとした伝送信号Ｖｓを伝送線Ｌｓに送出すれば、アドレスデータＡＤの一致する端末器が制御データＣＤを受け取り、信号返送期間ＷＴに監視データを返送する。伝送制御装置１では、送出した制御データＣＤと信号返送期間ＷＴに受信した監視データとをもとに制御データＣＤが所望の端末器に伝送されたことを確認する。また、制御端末器は受け取った制御データＣＤに従ってリレーＲｙの動作を指示したり調光信号を変化させたりし、監視端末器では受け取った制御データＣＤに従って表示灯を点灯又は消灯させるなどの動作を行う。
【００２６】
一方、伝送制御装置１は通常時にはモードデータＭＤをダミーモードとした伝送信号Ｖｓを一定時間間隔で送出しており（常時ポーリング）、監視端末器が伝送制御装置１に対して何らかの情報を伝送しようとするときには、ダミーモードの伝送信号Ｖｓの同期信号ＳＴに同期させて、図１１（ｃ）のような割込信号Ｖｉを発生させる。このとき、監視端末器は割込フラグを設定して伝送制御装置１との以後の情報授受に備える。伝送制御装置１では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した監視端末器では、割込ポーリングモードの伝送信号ＶｓにおけるアドレスデータＡＤの上位４ビットが自己のアドレスの上位４ビットに一致するとき、信号返送期間ＷＴ中に自己のアドレスの下位の半数のビット（下位４ビット）を監視データとして伝送制御装置１へ返送する。このように、伝送制御装置１は割込信号を発生した監視端末器を１６個ずつまとめて探すので、比較的短い時間で監視端末器を発見することができる。
【００２７】
伝送制御装置１が割込信号を発生した監視端末器のアドレスを獲得すると、モードデータＭＤを監視モードとし、獲得したアドレスデータＡＤを持つ伝送信号Ｖｓを伝送線Ｌｓに送出し、この伝送信号に対して監視端末器は伝送しようとする情報を信号返送期間ＷＴに返送する。最後に、伝送制御装置１は割込信号を発生した監視端末器に対して割込フラグのリセットを指示する信号を送出し、監視端末器の割込フラグを解除する。
【００２８】
以上のようにして、監視端末器から伝送制御装置１への情報伝送は、伝送制御装置１から監視端末器への４回の信号伝送（ダミーモード、割込ポーリングモード、監視モード、割込リセット）によって完了する。また、伝送制御装置１が所望の制御端末器の動作状態を知ろうとするときには、モードデータＭＤを監視データとし、アドレスデータＡＤを所望の制御端末器のアドレスとした伝送信号Ｖｓを送出するだけでよく、伝送信号Ｖｓの信号返送期間ＷＴに所望の制御端末器からの監視データを取得できる。
【００２９】
ここで、個別スイッチ２の調光信号オン／オフ用スイッチＳａ、調光スイッチ３のアップスイッチＳｕ、ダウンスイッチＳｄおよび負荷オン／オフ用スイッチＳｂの内の何れかが操作されて操作データが発生すると、上述の伝送手順にしたがって監視端末器（個別スイッチ２又は調光スイッチ３）からスイッチ操作に対応した監視データが伝送制御装置１に返送される。そして、伝送制御装置１が、監視端末器から受け取った監視データをもとに制御データＣＤを作成し、作成した制御データＣＤを対応する制御端末器に伝送すると、制御端末器はリレーＲｙを制御して照明器具Ｌをオン／オフさせたり、照明器具Ｌの光出力を調節したりするのである。すなわち、伝送制御装置１に予め設定されたアドレスの対応関係を用いて、端末器間でデータを授受することによって、いずれかの監視端末器に設けたスイッチの操作に応じて、対応する制御端末器で負荷を制御するのである。
【００３０】
ところで、調光スイッチ３に設けられたアップスイッチＳｕは押操作により光出力の増加を指示し、ダウンスイッチＳｄは押操作により光出力の減少を指示し、負荷オン／オフ用スイッチＳｂは押操作により照明負荷のオン／オフを指示する。なお、アップスイッチＳｕ及びダウンスイッチＳｄは押操作の開始時と押操作の終了時とに上述の割込信号を発生するものであり、スイッチＳｕ，Ｓｄを押し続けている間中、光出力が増加又は減少するのである。
【００３１】
次に、調光端末器５の回路構成を図１及び図２に基づいて説明する。調光端末器５は、伝送線Ｌｓに接続される２つの端子Ｎ１，Ｎ２間に無極性化のためのダイオードブリッジＤＢ１を備え、このダイオードブリッジＤＢ１で伝送信号Ｖｓを全波整流し、定電圧回路２１で定電圧化することによって当該調光端末器５の伝送処理に関する回路部分の電源を得ている。また、伝送信号Ｖｓは、ダイオードブリッジＤＢ１の一部を用いて半波整流され受信回路２２（受信手段）を通して信号処理部２０に入力される。信号処理部２０はマイコンを主構成とし、ＥＥＰＲＯＭを用いたデータ記憶部２３に格納されたアドレスデータをアドレスとして用いる。なお、データ記憶部２３に格納されるデータはアドレスデータだけではなく、信号処理部２０の動作を決めるパラメータも格納される。つまり、信号処理部２０は、複数種類の機能（例えば、リレーを制御する端末器か調光端末器かの別など）に関するプログラムを有しており、どのプログラムを用いて動作するかがデータ記憶部２３に格納されたパラメータを用いて選択される。
【００３２】
信号処理部２０では、受信回路２２を通して受信した伝送信号に含まれるアドレスデータがデータ記憶部２３に格納されたアドレスデータに一致すると、伝送信号の制御データを受け取り、制御データに応じた動作をする。また、伝送信号を受信したことを返信回路２４を通して端子Ｎ１，Ｎ２から伝送線Ｌｓに送出する。返信回路２４はダイオードブリッジＤＢ１の出力端子間に抵抗を接続する状態と出力端子間を開放する状態との２状態により電流モードの２値の信号を伝送線Ｌｓに送出する。
【００３３】
ところで、この調光端末器５では、別に設けたワイヤレス設定器からの光ワイヤレス信号によってデータ記憶部２３にデータを書き込むことができるようにしてある。このため、赤外線信号のような光ワイヤレス信号を受信する受光ダイオードＰＤを備えたワイヤレス受信部２５と、光ワイヤレス信号を送信する発光ダイオードＬＤ２を備えたワイヤレス送信部２６と、光ワイヤレス信号を受信したときに可視光の発光ダイオードからなる表示灯ＬＤ１を点灯させて報知動作を行う受信報知部２７とが設けられている。したがって、外部のワイヤレス設定器では調光端末器５との間で光ワイヤレス信号を授受することができ、データ記憶部２３にデータを書き込むだけではなく、データ記憶部２３に格納されているデータの確認や修正もワイヤレス設定器によって可能になっている。さらに、信号処理部２０はマイコンを主構成とするから、内部クロック信号を発生させるために、水晶振動子ＸＬも接続されている。
【００３４】
また調光端末器５は、調光スイッチ３のスイッチ操作に伴って伝送される伝送信号に含まれる制御データＣＤに基づいて調光信号を生成する機能を有している。制御データＣＤに基づいて調光信号を変化させるための調光信号生成手段の一部は信号処理部２０に含まれており、信号処理部２０では調光レベルに応じたデューティ比の２値信号（デューティ信号）を出力する。このデューティ信号は調光信号生成手段の残部を構成するトランジスタＱ１およびフォトカプラＰＣを介して調光信号出力回路１１（調光信号出力手段）に送られる。上述のように信号処理部２０は、定電圧回路２１により伝送信号Ｖｓを全波整流して定電圧化した電源を用いて動作しているが、調光信号出力回路１１は別に設けた電源回路１２により電源が供給される。したがって、電源の異なる回路間を絶縁するためにフォトカプラＰＣを用いているのである。
【００３５】
フォトカプラＰＣの出力側のトランジスタは、別のトランジスタＱ２に直列接続される。また、調光信号出力回路１１は、フォトカプラＰＣとトランジスタＱ２とがともに導通したときにオンになるトランジスタＱ３を備え、このトランジスタＱ３と可視光の発光ダイオードよりなる表示灯ＬＤ４（点灯表示手段）と２つの抵抗Ｒ２，Ｒ３との直列回路が電源回路１２の出力端子間に接続されている。したがって、トランジスタＱ３のオン／オフに応じて、端子Ｓ１の電位が端子Ｓ２の電位よりも高くなると、表示灯ＬＤ４に電流が流れて点灯するとともに、抵抗Ｒ３の両端電圧が変化し、端子Ｓ１，Ｓ２に接続された調光信号線Ｌｔに調光信号として出力され、調光信号線Ｌｔを介して照明器具Ｌに与えられるのである。このように、トランジスタＱ３がオンになり、調光信号線Ｌｔに調光信号が出力されると、トランジスタＱ３と直列に接続された表示灯ＬＤ４に電流が流れて、表示灯ＬＤ４が点灯する。なお、本実施形態では調光信号としてデューティ信号を用いているので、表示灯ＬＤ４はデューティ信号の周波数で点滅を繰り返すのであるが、デューティ信号の周波数は非常に高いので、人の目には表示灯ＬＤ４が点滅しているとは判別できず、表示灯ＬＤ４が連続的に点灯しているように見え、デューティ比に応じて発光輝度が変化する。すなわち、調光レベルが暗くなるにつれてデューティ比が大きくなる場合、デューティ信号のオン期間が長くなると、表示灯ＬＤ４が消灯している期間が短くなるので、人の目には表示灯ＬＤ４の輝度が明るくなったように見える。つまり、調光レベルが暗くなるほど、表示灯ＬＤ４の輝度が明るく見えることになる。
【００３６】
上述のように調光信号の出力時には表示灯ＬＤ４が連続的に点灯しているように見えるので、調光信号の出力状態を表示灯ＬＤ４の点灯／消灯から判別でき、従来の調光端末器のように調光信号線Ｌｔの線間電圧を計測器で確認したり、調光端末器と離れた位置に設置されている照明器具の点灯状態を目視で確認したりする必要がないから、調光信号の出力状態を確認する作業を容易に行える。
【００３７】
ところで、上述した調光信号出力回路１１のトランジスタＱ２および抵抗Ｒ２は、抵抗Ｒ３と表示灯ＬＤ４との直列回路の両端間（すなわち端子Ｓ１，Ｓ２間）の短絡の有無を検出する短絡検出回路１４に用いられている。短絡検出回路１４は２個のコンパレータＣＰ１，ＣＰ２、トランジスタＱ２、抵抗Ｒ２，Ｒ４、ダイオードＤ１，Ｄ２、コンデンサＣ１、可視光の発光ダイオードからなる表示灯ＬＤ３などで構成され、上述した抵抗Ｒ２の両端電圧は、ダイオードＤ１、抵抗Ｒ４、コンデンサＣ１によって平均化され、この平均電圧がコンデンサＣ１の両端電圧としてコンパレータＣＰ１において基準電圧と比較される。
【００３８】
端子Ｓ１，Ｓ２間が短絡して短絡電流が流れると、抵抗Ｒ２の両端電圧が正常時よりも高くなって、コンデンサＣ１の両端電圧が基準電圧よりも高くなる。この時、コンパレータＣＰ１の出力がＬレベルになり、コンパレータＣＰ２の出力もＬレベルとなる。コンパレータＣＰ２の出力端子には表示灯ＬＤ３の一端が接続されるとともに、ダイオードＤ２を介してトランジスタＱ２のベースが接続されているので、短絡時にコンパレータＣＰ２の出力がＬレベルになると、表示灯ＬＤ３が点灯するとともに、トランジスタＱ２がオフになる。トランジスタＱ２がオフになると、トランジスタＱ３もオフになるので、電源回路１２の出力端子間の短絡を防止することができる。
【００３９】
また、短絡発生時に短絡検出回路１４の動作によってトランジスタＱ３がオフになると、抵抗Ｒ２の両端電圧が無くなるので、コンデンサＣ１の電荷が放出され、コンデンサＣ１の両端電圧が基準電圧よりも低下すると、コンパレータＣＰ１，ＣＰ２の出力がＨレベルになって、表示灯ＬＤ３が消灯するとともに、トランジスタＱ２がオンになる。その後、フォトカプラＰＣの出力側のトランジスタがオンになると、トランジスタＱ３がオンになって短絡電流が流れるので、再びコンデンサＣ１の両端電圧が基準電圧よりも高くなって、コンパレータＣＰ１，ＣＰ２の出力がＬレベルとなり、表示灯ＬＤ３が点灯するとともに、トランジスタＱ２，Ｑ３がオフになって、電源回路１２の出力端子間の短絡を防止する。以上の動作を繰り返すことで、電源回路１２の出力端子間の短絡を防止して、調光信号の出力を停止させるとともに、表示灯ＬＤ３が点滅を繰り返すので、表示灯ＬＤ３の点滅から短絡が発生したことを容易に確認できる。尚、端子Ｓ１，Ｓ２間が短絡すると、表示灯ＬＤ４に電流が流れなくなるので、短絡状態では表示灯ＬＤ４は消灯している。
【００４０】
また、調光信号出力回路１１に給電する電源回路１２は、トランスＴ２の２次出力を整流する整流回路ＲＥと、整流回路ＲＥの出力を平滑する平滑コンデンサＣ０とを備え、平滑コンデンサＣ０の両端電圧を降圧回路ＤＣで降圧した電圧が調光信号出力回路１１に与えられるようになっている。降圧回路ＤＣは、スイッチング素子およびスイッチング素子の制御回路を含む集積回路よりなるレギュレータ回路１２ａと、インダクタＬ１と、平滑コンデンサＣ２と、ダイオードＤ３とで構成される降圧チョッパ回路からなり、出力端子間に接続された抵抗Ｒ５，Ｒ６で出力電圧を分圧して、分圧電圧をレギュレータ回路１２ａにフィードバックすることで、電源回路１２の出力電圧を安定化している。
【００４１】
ここで、本実施形態の調光端末器５の構成を要約すると、調光端末器５とは別に設けたトランスＴ２により商用電源が交流２４Ｖに降圧され、電源回路１２に電源として入力される。電源回路１２では、交流２４Ｖを整流回路ＲＥ（平滑コンデンサＣ０を含む）により整流平滑して直流２４Ｖとし、この電圧を降圧回路ＤＣにより降圧するとともに定電圧化することによって直流の一定電圧を得る。降圧回路ＤＣの出力電圧は、調光信号出力回路１１および短絡検出回路１４に供給され、調光信号出力回路１１では調光信号生成手段からの指示によって調光信号を出力する。調光信号生成手段は、上述したように具体的には、調光端末器５の信号処理部２０によって実現されており、調光信号生成手段と調光信号出力回路１１とはフォトカプラＰＣにより絶縁されている。
【００４２】
次に、調光端末器５の構造を図４及び図５に基づいて説明する。図４は調光端末器５の外観斜視図、図５は調光端末器５の分解斜視図であり、この調光端末器５の端末器本体５０は、上面が開口する箱状のボディ５０ａと、ボディ５０ａの上面に被着されるカバー５０ｂとからなる。ボディ５０ａには底面からボス５０ｃが突設され、ボス５０ｃに設けた挿通孔に挿通した固定ねじ５０ｄをカバー５０ｂのねじ穴（図示せず）に螺着することで、ボディ５０ａとカバー５０ｂとが一体に組み合わされる。
【００４３】
端末器本体５０の外形は分電盤協約寸法（ＪＩＳ　Ｃ　８３７０の付属書５参照）の３個モジュール寸法に形成してあり、ブレーカなどと共に並設して分電盤内に収めることを可能としてある。したがって、端末器本体５０を分電盤に取り付ける際に、同一規格の他の装置と同じ取付金具を用いて、並べて配置することができ、施工性が向上する。
【００４４】
端末器本体５０の内部には、図３で説明した回路を構成したプリント基板５２が収納される。プリント基板５２に実装されたワイヤレス受信部２５の受光ダイオードＰＤ及びワイヤレス送信部２６の発光ダイオードＬＤ２に対応するカバー５０ｂの上面には、赤外線透過フィルタ５４ａが取り付けられた透光窓５４を設け、ワイヤレス設定器との間でワイヤレス信号を送受信できるようにしてある。また、ワイヤレス信号の受信状態を表示する受信報知部２７の表示灯ＬＤ１と、短絡状態を表示する表示灯ＬＤ３と、調光信号の出力状態を表示する表示灯ＬＤ４とをそれぞれ露出させる表示窓５５ａ〜５５ｃをカバー５０ｂの上面に形成してある。なお、カバー５０ｂの上面中央には、透光窓５４及び表示窓５５ａ〜５５ｃにそれぞれ連通する透孔が貫設された銘板が被着されている。このように、表示灯ＬＤ１，ＬＤ３，ＬＤ４は端末器本体５０の表面（カバー５０ｂの前面）に露設されており、外部から視認可能な位置に配設されているので、表示灯ＬＤ１，ＬＤ３，ＬＤ４の発光を外部から視認できるようになっている。
【００４５】
また、カバー５０ｂの一端側には信号端子Ｎ１，Ｎ２及び電源入力端子用の端子部５１ａを設け、他端側には出力端子Ｓ１，Ｓ２用の端子部５１ｂを設けてある。各端子Ｎ１，Ｎ２，Ｓ１，Ｓ２及び電源入力端子（総称して端子５８と呼ぶ）は、Ｌ字状の端子板５８ａと、座金付きの端子ねじ５８ｂとからなる。ここで、端子５８はプリント基板５２に形成された挿通孔５９内に垂下片を挿入して半田付けし、プリント基板５２に直接に接続される。
【００４６】
（実施形態２）
本発明の実施形態２を図３〜図９を参照して説明する。
【００４７】
上述した実施形態１では、調光信号線Ｌｔの短絡状態を点灯状態に応じて表示する表示灯ＬＤ４と、調光信号の出力状態を点灯状態に応じて表示する表示灯ＬＤ３とを別々に設けているが、本実施形態では発光パターンを異ならせることで調光信号線Ｌｔの短絡状態と調光信号の出力状態とを１個の表示灯ＬＤ３で点灯表示している。すなわち、調光信号線Ｌｔの短絡状態を表示する短絡表示手段と、調光信号の出力状態を表示する点灯表示手段とを１個の表示灯ＬＤ３で兼用している。尚、調光端末器３の回路構成及び構造は実施形態１と略同様であるので、同一の構成要素には同一の符号を付けて説明を省略し、本実施形態の特徴である部分について説明する。
【００４８】
図３に調光端末器５の要部の回路図を示す。上述の実施形態１ではコンパレータＣＰ２の出力端に抵抗を介して表示灯ＬＤ３を接続し、端子Ｓ１，Ｓ２間に表示灯ＬＤ４と抵抗Ｒ３とを直列に接続しているのに対して、本実施形態では、トランジスタＱ３と端子Ｓ１との間に表示灯ＬＤ３を接続して、表示灯ＬＤ４を無くしており、それ以外の回路構成は実施形態１と同様である。
【００４９】
ここで、図６〜図９の波形図を参照して調光信号出力回路１１及び短絡検出回路１４の動作を説明する。図６〜図９は表示灯ＬＤ３及び抵抗Ｒ２，Ｒ３の直列回路の両端電圧Ｖａの電圧波形をそれぞれ示し、図６は調光信号のデューティ比が１００％の場合の波形図、図７は調光信号のデューティ比が５％以上且つ１００％未満の場合の波形図、図８は調光制御を行っていない場合の波形図、図９は調光信号線の短絡時の波形図である。
【００５０】
図６に示すように、調光信号出力回路１１からデューティ比が１００％の調光信号が出力されている場合は、トランジスタＱ３がオンし続けるので、電圧Ｖａは電源回路１２の高電位側の出力端子の電位Ｖ１に略等しくなり、表示灯ＬＤ４が常時点灯する。
【００５１】
図７に示すように、調光信号出力回路１１からデューティ比が５％以上且つ１００％未満の調光信号が出力されている場合は、トランジスタＱ３がデューティ信号の周波数でオン／オフを繰り返す。電圧Ｖａは、トランジスタＱ３のオン時には電源回路１２の高電位側の出力端子の電位Ｖ１に略等しくなり、オフ時には電源回路１２の低電位側の出力端子の電位Ｖ０に略等しくなるので、この場合の電圧波形はトランジスタＱ３のオン／オフに応じて電圧Ｖ１と電圧Ｖ０とが交番するような波形となり、表示灯ＬＤ３がデューティ信号の周波数で点滅を繰り返すことになる。ここで、デューティ信号の周波数は非常に高いので、人の目には表示灯ＬＤ３が点滅していると判別できず、表示灯ＬＤ３が連続的に点灯しているように見え、デューティ比に応じて発光輝度が変化する。
【００５２】
図８に示すように、調光制御を行っておらず、調光信号出力回路１１から調光信号が出力されていない場合は、トランジスタＱ３がオフし続け、電圧Ｖａが電源回路１２の低電位側の電圧Ｖ０に略等しくなっており、表示灯ＬＤ３に電流が流れないため、表示灯ＬＤ３は常時消灯している。
【００５３】
一方、デューティ比が５％以上且つ１００％以下の調光信号が入力されている状態で調光信号線Ｌｔ（端子Ｓ１，Ｓ２間）が短絡した場合、フォトカプラＰＣの出力側のトランジスタのオン／オフに応じてトランジスタＱ３がオン／オフを繰り返し、トランジスタＱ３を介して表示灯ＬＤ３及び抵抗Ｒ２に短絡電流が断続的に流れ、表示灯ＬＤ３が点滅する。尚、表示灯ＬＤ３が点滅する周期はデューティ信号の周期となり、人の目には感知できない程度に短いので、表示灯ＬＤ３は点灯しているように見える。
【００５４】
抵抗Ｒ２に短絡電流が流れると、抵抗Ｒ２の両端間に電圧が発生し、その両端電圧を整流、平滑した電圧によってコンデンサＣ１が充電されるのであるが、短絡時には抵抗Ｒ２の両端電圧が正常時よりも高くなって、コンデンサＣ１の両端電圧が基準電圧よりも高くなるので、コンパレータＣＰ１，ＣＰ２の出力がＬレベルになる。コンパレータＣＰ２の出力がＬレベルになると、トランジスタＱ２がオフになって、トランジスタＱ３がオフになり、短絡電流が流れなくなって、表示灯ＬＤ３が消灯する。
【００５５】
短絡電流が無くなると、抵抗Ｒ２の両端電圧が無くなるので、コンデンサＣ１の電荷が放出され、コンデンサＣ１の両端電圧が基準電圧よりも低下すると、コンパレータＣＰ１，ＣＰ２の出力がＨレベルになって、トランジスタＱ２がオンになる。トランジスタＱ２がオンになると、フォトカプラＰＣの出力側のトランジスタのオン／オフに応じてトランジスタＱ３がオン／オフし、トランジスタＱ３を介して表示灯ＬＤ３及び抵抗Ｒ２に短絡電流が断続的に流れ、表示灯ＬＤ３が点滅する。上述のように表示灯ＬＤ３が点滅する周期は人の目には感知できない程度に短いので、表示灯ＬＤ３は点灯しているように見える。以下、上述の動作を繰り返すことによって、表示灯ＬＤ３が非常に短い周期で点滅を繰り返す期間（人の目には点灯しているように見える期間）と、表示灯ＬＤ３が消灯している期間とが交互に設けられる。ここで、表示灯ＬＤ３が消灯する期間が十分長くなるように、コンデンサＣ１の静電容量や放電経路を構成する抵抗Ｒ４の抵抗値を設定しているので、調光信号線Ｌｔの短絡時には表示灯ＬＤ３が点滅しているように見える。尚、調光レベルが１００％の調光信号が出力されている状態で短絡が発生した場合にも表示灯ＬＤ３は点滅しているように見える。
【００５６】
以上の動作をまとめると、調光信号出力回路１１から調光信号が出力されている場合は表示灯ＬＤ３が点灯し、調光信号が出力されていない場合は表示灯ＬＤ３が消灯し、調光信号線Ｌｔの短絡時には表示灯ＬＤ３が点滅することになる。したがって、表示灯ＬＤ３が点灯していることから、調光信号の出力状態を確認することができ、従来の調光端末器のように調光信号線Ｌｔの線間電圧を計測器で確認したり、調光端末器と離れた位置に設置されている照明器具の点灯状態を目視で確認したりする必要がないから、調光信号の出力状態を確認する作業を容易に行える。また、調光信号の出力時と短絡の発生時とで発光パターンを異ならせることによって、調光信号の出力状態を表示する表示灯と、短絡の有無を表示する表示灯を１つの表示灯ＬＤ３で兼用しているので、表示灯の数を減らして、部品点数を削減することができる。また、従来の調光端末器５と表示灯の数が同じなので、端末器本体５のカバー５ｂに従来のものを使用することができ、カバー５ｂの成型に同一の金型を使用できるから、製造コストをさらに削減できる。
【００５７】
【発明の効果】
上述のように、請求項１の発明は、固有アドレスが設定されスイッチの状態を監視しスイッチの状態に応じた監視データを伝送制御装置に対して送出する監視端末器と、固有アドレスが設定され各スイッチに対応する照明負荷を調光制御する調光端末器と、各端末器が一対の伝送線を介して接続されるとともに、アドレスデータを含む伝送信号を伝送線に送出することによって各端末器をアクセスして監視データ及び照明負荷の調光制御内容を示す制御データを時分割多重伝送する伝送制御装置とを備えた遠隔監視制御システムの調光端末器であって、伝送線を介して伝送される制御データを受信する受信手段と、受信した制御データに応じた調光レベルの調光信号を生成する調光信号生成手段と、調光信号線を介して接続された照明負荷に生成した調光信号を出力する調光信号出力手段と、上記各手段を収納する端末器本体とを備え、調光信号出力手段から照明負荷へ調光信号が出力されるオン状態と調光信号が出力されていないオフ状態とで点灯状態の変化する点灯表示手段を端末器本体の外部から視認可能な位置に配置したことを特徴とし、点灯表示手段の表示から調光信号出力手段による調光信号の出力状態を確認できるので、従来の調光端末器のように調光信号線の線間電圧を計測したり、照明器具の設置場所までいって照明器具の点灯状態を目視により確認することで調光信号の出力状態を確認する必要がなく、調光端末器の設置場所で調光信号の出力状態を容易に確認できるという効果があり、照明負荷の点灯不良などが発生した場合には、その原因が照明負荷の側にあるか、調光端末器の側にあるかを、調光端末器の設置で容易に行えるという効果がある。
【００５８】
請求項２の発明は、請求項１の発明において、上記調光信号線の短絡状態を検出する短絡検出手段と、短絡検出手段が短絡状態を検出すると短絡状態を点灯表示する短絡表示手段とを備え、調光信号の出力のオン状態及びオフ状態を表示する場合と短絡状態を表示する場合とで発光パターンを異ならせることで、上記点灯表示手段と上記短絡表示手段とを１つの表示手段で兼用したことを特徴とし、発光パターンを異ならせることで、調光信号の出力状態を点灯表示する手段と、調光信号線の短絡状態を点灯表示する手段とを兼用しているので、部品点数を削減して、製造コストの上昇を抑制できるという効果がある。
【００５９】
請求項３の発明は、請求項１又は２の発明において、上記端末器本体を、規格化された分電盤協約寸法に対応する寸法に形成したことを特徴とし、調光端末器を分電盤に取り付ける際に、同一規格の他の装置と同じ取付金具を用いて、並べて配置することができ、施工性が向上するという効果がある。
【図面の簡単な説明】
【図１】実施形態１の調光端末器の回路図である。
【図２】同上の要部回路図である。
【図３】実施形態２の調光端末器の要部回路図である。
【図４】同上の外観斜視図である。
【図５】同上の分解斜視図である。
【図６】同上のデューティ比が１００％の時の電圧Ｖａの波形図である。
【図７】同上のデューティ比が５％以上且つ１００％未満の時の電圧Ｖａの波形図である。
【図８】同上の消灯時の電圧Ｖａの波形図である。
【図９】同上の短絡状態における電圧Ｖａの波形図である。
【図１０】遠隔監視制御システムのシステム構成図である。
【図１１】（ａ）〜（ｃ）は伝送信号の説明図である。
【図１２】従来の調光端末器の回路図である。
【符号の説明】
５　　調光端末器
１１　調光信号出力回路
２０　信号処理部
２２　受信回路
ＬＤ４　表示灯
Ｓ１，Ｓ２　端子
【図１】
2004119152.tif 000003
【図２】
2004119152.tif 000004
【図３】
2004119152.tif 000005
【図４】
2004119152.tif 000006
【図５】
2004119152.tif 000007
【図６】
2004119152.tif 000008
【図７】
2004119152.tif 000009
【図８】
2004119152.tif 000010
【図９】
2004119152.tif 000011
【図１０】
2004119152.tif 000012
【図１１】
2004119152.tif 000013
【図１２】
2004119152.tif 000014